(57)【要約】【課題】背景の動きは少ないが、部分的には大きな動きのある動画に対して有効に画像処理を行う。【解決手段】ＹＣ分離回路１３は、二種類の動作を行う。一方の動作においては、現フレームの映像信号とフレームメモリ１５に記憶された、前フレームの映像信号との相関処理（フレーム相関処理）を行う。他方の動作においては、ライン相関処理を行う。この液晶ディスプレイ１０においては、色検出回路２６も用いられている。色検出回路２６は、Ｙ信号とＣ信号の強度から、このフレームにおいて特定の色、ここでは肌色と認識される画素（領域）があるか否かを認識する。肌色と認識される領域のあるラインがあった場合、制御部１４は、ＹＣ分離回路１３に対して、ライン相関処理を行わせた結果を出力させ、肌色と認識される領域の無かったラインについては、フレーム相関処理を行わせた結果を出力させる。【選択図】図１
2009105815.tif 000002
【特許請求の範囲】
【請求項１】
動画像であるカラー画像を表示し、前記カラー画像の画像信号に対する信号処理をフレーム毎、もしくはライン毎に行う信号処理手段を具備する画像表示装置であって、
予め設定された色である領域が前記画像信号における現フレームにおいて存在するか否かを判定する色検出手段と、
前記現フレームにおいて予め設定された色の領域が含まれるラインにおいては、前記信号処理をライン毎に行わせた結果を前記信号処理手段に出力させ、前記現フレームにおいて予め設定された色の領域が含まれないラインにおいては、前記信号処理をフレーム毎に行わせた結果を前記信号処理手段に出力させる制御手段と、
を具備することを特徴とする画像表示装置。
【請求項２】
前記現フレームの画像データと、該現フレームよりも前の前フレームの画像データとから、画像全体の動きを表す動きベクトルを算出する動き検出手段を具備し、
前記制御手段は、前記現フレームの画像データに対して、
前記動きベクトルの絶対値が予め設定された値以上の時に、前記信号処理手段に、前記ライン毎の前記信号処理を行わせ、
前記動きベクトルの絶対値が予め設定された値よりも小さい時に、前記信号処理手段に、前記フレーム毎の前記信号処理を行わせる、
ことを特徴とする請求項１に記載の画像表示装置。
【請求項３】
前記信号処理手段は、ＩＰ（インタレース・プログレッシブ）変換手段であることを特徴とする請求項１又は２に記載の画像表示装置。
【請求項４】
前記信号処理手段は、ＮＲ（ノイズリダクション）処理手段であることを特徴とする請求項１から３までのいずれか１項に記載の画像表示装置。
【請求項５】
前記画像信号は、ＨＤ（Ｈｉｇｈ  Ｄｅｆｉｎｉｔｉｏｎ）信号であることを特徴とする請求項１から４までのいずれか１項に記載の画像表示装置。
【請求項６】
前記信号処理手段は、ＹＣ分離手段であることを特徴とする請求項１から４までのいずれか１項に記載の画像表示装置。
【請求項７】
前記画像信号は、ＳＤ（Ｓｔａｎｄａｒｄ  Ｄｅｆｉｎｉｔｉｏｎ）信号であることを特徴とする請求項６に記載の画像表示装置。
【請求項８】
動画像であるカラー画像を表示する画像表示装置において、前記カラー画像の画像信号に対する信号処理をフレーム毎、もしくはライン毎に行う画像信号処理方法であって、
予め設定された色である領域が前記画像信号における現フレームにおいて存在するか否かを判定する色検出工程を具備し、
前記現フレームにおいて予め設定された色の領域が含まれるラインにおいては、前記信号処理をライン毎に行った結果を出力させ、前記現フレームにおいて予め設定された色の領域が含まれないラインにおいては、前記信号処理をフレーム毎に行った結果を出力させる、
ことを特徴とする画像信号処理方法。
【請求項９】
前記現フレームの画像データと、該現フレームよりも前の前フレームの画像データとから、画像全体の動きを表す動きベクトルを算出する動き検出工程を具備し、
前記現フレームの画像データに対して、
前記動きベクトルの絶対値が予め設定された値以上の時に、前記ライン毎の前記信号処理を行わせ、前記動きベクトルの絶対値が予め設定された値よりも小さい時に、前記フレーム毎の前記信号処理を行う、
ことを特徴とする請求項８に記載の画像信号処理方法。
【発明の詳細な説明】
【技術分野】
【０００１】
本発明は、液晶ディスプレイ等、カラー画像を表示する画像表示装置、及びこのカラー画像の画像信号の処理方法に関わる。
【背景技術】
【０００２】
近年、液晶ディスプレイ等の大型のディスプレイ（画像表示装置）でカラー画像からなる動画を家庭で楽しむことが多くなった。こうした画像表示装置においては、カラー画像信号としてＳＤ（Ｓｔａｎｄａｒｄ  Ｄｅｆｉｎｉｔｉｏｎ）信号とＨＤ（Ｈｉｇｈ  Ｄｅｆｉｎｉｔｉｏｎ）信号の２種類が使用されている。ＳＤ信号はカラー画像の画質ではＨＤ信号に劣るものの、これを用いる機器が安価であるため、例えばビデオデッキ等によるカラー画像等では広く用いられている。
【０００３】
ＳＤ信号においては、カラー画像における輝度と色度とを同時に搬送するコンポジット信号が用いられ、入力された一つのコンポジット信号からカラー画像を再生することができる。このため、コンポジット信号から輝度信号（Ｙ信号）と色差信号（Ｃ信号）とを分離するＹＣ分離処理が行われ、分離されたこれらの信号からＲＧＢ毎の信号が得られ、カラー画像が形成される。また、カラー画像の画質改善のために、ノイズリダクション（ＮＲ）処理も行われる。更に、インタレース信号が用いられる場合には、インタレース信号をプログレッシブ信号に変換する際の画像を補正するＩＰ変換処理も行われる。
【０００４】
こうしたＹＣ分離処理、ＮＲ処理、ＩＰ変換処理は、フレーム単位で行われることが多い。例えば、ＹＣ分離処理においては、３次元ＹＣ分離処理という手法が一般に用いられている。この処理においては、あるフレーム（現フレーム）での画像とその直前のフレーム（前フレーム）の画像との間には一般に強い相関があることを前提として、これらのフレーム間で相関処理を行うことによって効率的かつ正確にＹＣ分離処理を行う。このため、前フレームの画素情報を記憶するフレームメモリを具備し、これを用いてＹＣ分離のための演算処理を行う。ＩＰ変換処理、ＮＲ処理においても同様であり、例えばＮＲ処理においては、これらのフレーム間の加重平均処理を用いることによってノイズをキャンセルしたカラー画像を得ることができる。
【０００５】
しかしながら、こうした信号処理はフレーム間の相関を利用しているため、静止画像を表示する場合には非常に有効であるものの、変化の激しい画像においてこうした処理を行った場合、その変化は見えにくくなる。すなわち、動きの激しい動画においては、こうした処理を行うことによって、残像感が大きくなる。従って、フレーム毎に行う上記の処理は、静止画には適しているが、動きの激しい動画には適していない。
【０００６】
こうした点を改善し、動画においても同様にノイズの少ない良好なカラー画像を形成し、かつ残像感も少なくするＮＲ処理方法が特許文献１に記載されている。この技術においては、ブロック毎に動きベクトルを検出し、前フレームにおける画素の動きを考慮し、現フレーム中のブロック毎の動きを加味した上で、前フレームと現フレームとの間で加重平均処理を行い、ノイズを低減する処理を行う。
【０００７】
また、特許文献２には、フレーム中の部分画像を認識し、その動きを示す動きベクトルを検出して、部分画像毎の動きを加味して、前フレームと現フレームとの間で加重平均処理を行い、ＮＲ処理を行うことが記載されている。特に、部分画像の認識においては、エッジ検出技術を用いてその輪郭を検出する。
【０００８】
これらの技術によって、動画においても、ノイズの少ない良好なカラー画像を表示し、かつ残像感も少なくすることができた。
【特許文献１】特開平７−２０３４４２号公報
【特許文献２】特開２００４−８８２３４号公報
【発明の開示】
【発明が解決しようとする課題】
【０００９】
しかしながら、動画においては様々なものが存在し、特に、背景部分では動きが無く、その一部分が激しく動く画像、例えば、ある背景中で人間が顔を上下左右に大きく動かしているような画像に対しては、上記のどちらの技術も有効ではなかった。
【００１０】
特許文献１に記載の技術においては、上記の画像の場合には、動きベクトルは人間の顔の動きではなく、主に背景によって定まる。従って、静止画に近い画像として扱われるため、顔の動きにおいては残像感が大きくなる。
【００１１】
また、特許文献２に記載の技術においては、顔の動きは部分画像の動きとして認識が可能であるものの、これを前フレームと現フレームの両方において正確に認識できる精度は高くない。例えば、顔を動かすと同時に、その表情も変わっている場合には、両フレーム間で、顔が同じ部分画像として認識されない可能性が高い。
【００１２】
従って、従来は、背景の動きは少ないが、部分的には大きな動きのある動画に対して有効に画像処理を行うことは困難であった。
【００１３】
本発明は、斯かる問題点に鑑みてなされたものであり、上記問題点を解決する発明を提供することを目的とする。
【課題を解決するための手段】
【００１４】
本発明は、上記課題を解決すべく、以下に掲げる構成とした。
本発明の画像表示装置は、動画像であるカラー画像を表示し、前記カラー画像の画像信号に対する信号処理をフレーム毎、もしくはライン毎に行う信号処理手段を具備する画像表示装置であって、予め設定された色である領域が前記画像信号における現フレームにおいて存在するか否かを判定する色検出手段と、前記現フレームにおいて予め設定された色の領域が含まれるラインにおいては、前記信号処理をライン毎に行わせた結果を前記信号処理手段に出力させ、前記現フレームにおいて予め設定された色の領域が含まれないラインにおいては、前記信号処理をフレーム毎に行わせた結果を前記信号処理手段に出力させる制御手段と、を具備することを特徴とする。
本発明の画像表示装置は、前記現フレームの画像データと、該現フレームよりも前の前フレームの画像データとから、画像全体の動きを表す動きベクトルを算出する動き検出手段を具備し、前記制御手段は、前記現フレームの画像データに対して、前記動きベクトルの絶対値が予め設定された値以上の時に、前記信号処理手段に、前記ライン毎の前記信号処理を行わせ、前記動きベクトルの絶対値が予め設定された値よりも小さい時に、前記信号処理手段に、前記フレーム毎の前記信号処理を行わせることを特徴とする。
本発明の画像表示装置において、前記信号処理手段は、ＩＰ（インタレース・プログレッシブ）変換手段であることを特徴とする。
本発明の画像表示装置において、前記信号処理手段は、ＮＲ（ノイズリダクション）処理手段であることを特徴とする。
本発明の画像表示装置において、前記画像信号は、ＨＤ（Ｈｉｇｈ  Ｄｅｆｉｎｉｔｉｏｎ）信号であることを特徴とする。
本発明の画像表示装置において、前記信号処理手段は、ＹＣ分離手段であることを特徴とする。
本発明の画像表示装置において、前記画像信号は、ＳＤ（Ｓｔａｎｄａｒｄ  Ｄｅｆｉｎｉｔｉｏｎ）信号であることを特徴とする。
本発明の画像信号処理方法は、動画像であるカラー画像を表示する画像表示装置において、前記カラー画像の画像信号に対する信号処理をフレーム毎、もしくはライン毎に行う画像信号処理方法であって、予め設定された色である領域が前記画像信号における現フレームにおいて存在するか否かを判定する色検出工程を具備し、前記現フレームにおいて予め設定された色の領域が含まれるラインにおいては、前記信号処理をライン毎に行った結果を出力させ、前記現フレームにおいて予め設定された色の領域が含まれないラインにおいては、前記信号処理をフレーム毎に行った結果を出力させることを特徴とする。
本発明の画像信号処理方法は、前記現フレームの画像データと、該現フレームよりも前の前フレームの画像データとから、画像全体の動きを表す動きベクトルを算出する動き検出工程を具備し、前記現フレームの画像データに対して、前記動きベクトルの絶対値が予め設定された値以上の時に、前記ライン毎の前記信号処理を行わせ、前記動きベクトルの絶対値が予め設定された値よりも小さい時に、前記フレーム毎の前記信号処理を行うことを特徴とする。
【発明の効果】
【００１５】
本発明は以上のように構成されているので、背景の動きは少ないが、部分的には大きな動きのある動画に対して有効に画像処理を行い、残像感の少ない良好なカラー画像を得ることができる。
【発明を実施するための最良の形態】
【００１６】
以下、本発明を実施するための最良の形態について説明する。以下では、本発明の実施の形態として、液晶ディスプレイについて説明する。
【００１７】
本発明の実施の形態である液晶ディスプレイの構成を示す図が図１である。
【００１８】
この液晶ディスプレイ１０は、ビデオ信号又はチューナからのＳＤ信号から動画像であるカラー画像を再生して液晶パネル１１で表示する。入力されたこれらの画像信号はＡＤ変換回路１２でデジタル信号に変換される。なお、この画像信号においては、インタレース方式が用いられている。
【００１９】
この液晶ディスプレイ１０においては、この画像信号に対して、各種の信号処理が行われる。代表的な信号処理としては、ＹＣ分離処理、ＩＰ変換処理、ＮＲ処理の３種類がある。これらの処理を行うため、この液晶ディスプレイ１０は、信号処理手段として、ＹＣ分離手段、ＩＰ変換手段、ＮＲ処理手段を具備する。
【００２０】
まず、ＡＤ変換回路１２でデジタル信号に変換された画像信号（コンポジット信号）はＹＣ分離回路（ＹＣ分離手段）１３において輝度信号（Ｙ信号）と色差信号（Ｃ信号）に分離される（ＹＣ分離処理）。この際、このＹＣ分離回路１３は、二種類の動作を行う。どちらの動作を行うかは、制御部１４によって制御される。
【００２１】
一方の動作においては、現在のフレーム（現フレーム）の映像信号とフレームメモリ１５に記憶された、これよりも前のフレーム（前フレーム）の映像信号との相関処理（フレーム相関処理）を行う。この前フレームとは現フレームの１フレーム前のフレームでよいが、何フレーム前の映像信号とするかは任意である。ここで、フレーム間の相関処理とは、フレーム間の信号の加減算処理等によってＹ信号とＣ信号を算出するものである。この処理においては、処理に用いる二つのフレームにおける画像に強い相関があることを前提にしているため、特に静止画像を扱う場合には良好なＹＣ分離処理が行われる。
【００２２】
他方の動作においては、フレーム内の隣り合ったライン（走査線）におけるＣ信号の位相が１８０°異なることを利用して、隣り合ったラインの信号の加減算処理によってＹ信号とＣ信号を算出する、ライン相関処理を行う。ライン相関処理によっても前記のフレーム相関処理と同様にＹＣ分離が行われるが、その精度は、静止画像においてはフレーム相関処理よりも悪くなる。ただし、動きのある画像においては、ライン相関処理においては前フレームの影響を受けないため、より残像感の少ないカラー画像を得ることができる。
【００２３】
上記のどちらかの方法で分離されたＹ信号とＣ信号はインタレース・プログレッシブ変換回路（ＩＰ変換回路：ＩＰ変換手段）１６に入力され、インタレース信号からプログレッシブ信号に変換される（ＩＰ変換処理）。ＩＰ変換処理においては、インタレース信号で用いられる奇数フィールドと偶数フィールドの二つのフィールドを合成して、連続的（プログレッシブ）な画像信号に変換する。この際には、ジャギー等が発生することがあるが、特開平６−３１１４８８号公報に記載されたように、フィールド間、フレーム間の演算処理を行うことによって、これに対処することができる。すなわち、ＩＰ変換処理においても、ＹＣ分離処理と同様に、現フレームと前フレームとの間の演算処理を行うことができ、同一フレーム内のライン間の演算処理を行うこともできる。フレーム間の演算処理は静止画に適しており、ライン間の演算処理は動画に適していることもＹＣ分離処理と同様である。
【００２４】
従って、ＩＰ変換回路１６においても、ＹＣ分離回路１３と同様に、制御部１４からの制御によって二種類の動作が行われる。すなわち、一方の動作においては、現フレームのＹ信号、Ｃ信号と、フレームメモリ１７に記憶された前フレームのＹ信号、Ｃ信号とのフレーム間の演算処理を行い、他方の動作においては、ライン間の演算処理を行う。
【００２５】
プログレッシブ信号に変換されたＹ信号、Ｃ信号は、ノイズリダクション回路（ＮＲ回路：ＮＲ処理手段）１８に入力され、ノイズ低減処理（ＮＲ処理）が行われる。ＮＲ処理においても、現フレームのＹ信号、Ｃ信号と、フレームメモリ１９に記憶された前フレームのＹ信号、Ｃ信号とのフレーム間の演算処理、例えば特許文献１、２に記載されたような加重平均処理を行い、ノイズを低減することができる。また、この処理についてもＹＣ分離回路１３、ＩＰ変換回路１６と同様に、フレーム内のライン間の演算処理を代わりに行うことができる。フレーム間の演算処理は静止画に適しており、ライン間の演算処理は動画に適していることも前記と同様である。
【００２６】
従って、ＮＲ回路１８においても、ＹＣ分離回路１３、ＩＰ変換回路１６と同様に、制御部１４からの制御によって二種類の動作が行われる。すなわち、一方の動作は、フレームメモリ１９に記憶された、これよりも前のＹ信号、Ｃ信号とのフレーム間の演算処理であり、他方の動作は、ライン間の演算処理である。
【００２７】
ＮＲ回路１８から出力されたこれらの信号は画質補正回路２０に入力され、液晶パネル１１のカラー画像の表示特性に適合した形に補正された後に、スケーリング回路２１に入力され、液晶パネル１１における表示画面の大きさあるいは画素数に合わせるべく変換される。
【００２８】
その後、これらの信号はＬＣＤコントロール回路２２に入力され、ＬＣＤコントロール回路２２は、これらの信号に基づいて液晶パネル１１を制御する。液晶パネル１１はバックライトユニット２３から発した光を変調してカラー画像を形成する。
【００２９】
バックライト制御部２４は、出力されるカラー画像の表示を最適にするべくバックライトユニット２３とＬＣＤコントロール回路２２を制御する。
【００３０】
制御部（制御手段）１４は、例えばマイクロコンピュータで構成され、以上の全ての構成要素を制御する。
【００３１】
ここで、この液晶ディスプレイ１０においては、カラー画像全体における動きを検出し、この動きを反映してＹＣ分離処理、ＩＰ変換処理、ＮＲ処理を行う。このため、カラー画像全体における動きを検出する動き検出回路（動き検出手段）２５が用いられる。動き検出回路２５は、ＹＣ分離回路１３の出力（Ｙ信号、Ｃ信号）から、画面全体の動きベクトルを算出する。動き検出回路２５が動きベクトルを算出する方法は、特許文献１の段落番号００２２に記載の方法と同様である。すなわち、フレームメモリ１７に記憶された、前フレームにおけるＹ信号及びＣ信号を元に、前フレームと現フレームとの間の相関を求め、各画素の動きを示す動きベクトルと検出する。この手法としては、ＭＰＥＧ等で用いられる周知の手法が用いられる。
【００３２】
ここで求められる動きベクトルは、特許文献２に記載の動きベクトルとは異なり、各フレームにおける画像全体に関する動きベクトルである。従って、ここでは部分画像の認識等の複雑な処理を行う必要はない。従って、動きベクトルの絶対値がある設定値（閾値）以上であれば、制御部２４は、現在のフレームが構成するカラー画像が動画像であると認識する。逆に、動きベクトルの絶対値がこの閾値よりも小さい場合には、このカラー画像が静止画であると認識する。
【００３３】
例えば、ここで扱うカラー画像が、静止した背景中で人間が顔を動かしている映像である場合、この動きベクトルは主に背景で決定されるため、動きベクトルの絶対値はほぼ零となる。この場合、顔が動いているにも関わらず、制御部１４は、このカラー画像を動画であるとは認識しない。
【００３４】
ここで、この液晶ディスプレイ１０においては、色検出回路（色検出手段）２６も用いられている。色検出回路２６は、Ｙ信号とＣ信号の強度から、このフレームにおいて特定の色、ここでは肌色と認識される画素（領域）があるか否かを認識する。これは、Ｙ信号及びＣ信号の強度が肌色と認識される範囲内にあるか否かで認識される。色検出回路２６は、その判定結果を制御部１４に出力する。
【００３５】
このフレーム内において、肌色と認識される領域のあるラインがあった場合、制御部１４は、ＹＣ分離回路１３、ＩＰ変換回路１６、ＮＲ回路１８に対して、このラインについてはライン毎の処理を行わせた結果を出力させる。肌色と認識される領域の無かったラインについては、フレーム毎の処理を行わせた結果を出力させる。
【００３６】
前記の通り、例えば、静止した背景中で人間が顔を動かしている映像の場合に対してフレーム相関処理を行った場合、動き検出回路２５によって算出された動きベクトルの大きさはほぼ零となる。従って、ＹＣ分離処理にフレーム相関処理を適用した場合、ＹＣ分離は背景部分に関しては有効に行われ、背景部分においては良好なカラー画像が得られる。しかしながら、顔付近の部分は動いているために、フレーム相関処理によって残像感の大きな映像となる。ＩＰ変換処理、ＮＲ処理についても同様である。
【００３７】
これに対して、ライン毎の肌色検出を色検出回路２６によって行い、肌色が認識された場合には、このラインに対するＹＣ分離はライン相関処理により行えば、このラインにおいては、ＹＣ分離の精度は低くなるが、残像感の少ない画像を得ることができる。
【００３８】
すなわち、動きのない背景のみが含まれるラインに関してはフレーム相関処理が行われるために、精度良いＹＣ分離処理が行われ、良好なカラー画像が得られる。一方、動きに着目すべき肌色の部分が含まれるラインに関しては、ライン相関処理が行われ、ここではＹＣ分離の精度はやや劣るが残像感の少ないカラー画像が得られる。従って、動きの少ない大部分のラインに関してはフレーム相関処理を行うことによって良好なカラー画像を得て、動きに着目すべき一部のラインに関してはライン相関処理を行うことによって、残像感を少なくすることができる。特に、背景の動きは少ないが、部分的には大きな動きのある動画に対しても有効に画像処理を行い、残像感の少ない良好なカラー画像を得ることができる。
【００３９】
同様に、ＩＰ変換処理、ＮＲ処理についても、動きに着目すべきライン以外ではフレーム間の演算処理を行い、動きに着目すべきラインにおいてはライン間の演算処理を行うことによって、残像感の少ない良好なカラー画像を得ることができる。
【００４０】
なお。前記の例では、動きに着目すべき箇所を人間の顔とし、顔の色である肌色を色検出回路２６により検出したが、同様に、動きを着目すべき部分をその色により識別することが可能である。例えば、野球やサッカー中継においてはボールに着目することが好ましいが、そのためには前記の色検出回路２６において、ボールの色である白色を検出する設定とすればよい。この判定は、Ｙ信号、Ｃ信号の強度が白色と認識される範囲内にあるか否かを判定することにより上記と同様に行われる。すなわち、色検出回路２６が検出すべき色は着目すべき対象に応じて予め適宜設定される。また、特許文献２に記載の技術のように、パターン認識等の複雑な処理を必要とせず、Ｙ信号、Ｃ信号の強度だけで、動きに着目すべき箇所を認識できるため、その構成も単純であり、低コストとなる。
【００４１】
以下に、この液晶ディスプレイ１０における動作、すなわち、ここで用いられる画像信号処理方法について説明する。
【００４２】
上記の液晶ディスプレイ１０においてＹＣ分離処理を行なう際のＹＣ分離回路１３、制御部１４、動き検出回路２５、色検出回路２６の動作を示すフローチャートが図２である。
【００４３】
まず、動き検出回路２５は、フレームメモリ１５に記憶された、過去のフレームと現在のフレームとの間の相関から、動きベクトルを算出する（動き検出工程：Ｓ１）。制御部１４は、この動きベクトルの絶対値を算出し、これを予め設定された閾値と比較する（Ｓ２）。この値が閾値以上である場合には、現在の画像は動画であると認識し、制御部１４はこのフレームに関してＹＣ分離回路１３にライン相関処理を行わせる（Ｓ３）。
【００４４】
この値が閾値よりも小さかった場合には、色検出回路２６は、現在のフレームにおけるライン毎の色検出を行い、ここでは、肌色の画素が含まれているか否かを判定する（色検出工程：Ｓ４、Ｓ５）。肌色が検出されなかった場合には、現在の画像は静止画である、すなわち、特に動きに着目すべき部分はないと認識し、制御部１４はＹＣ分離回路１３にフレーム相関処理、すなわち、通常の３次元ＹＣ分離処理を行わせる（Ｓ６）。
【００４５】
肌色が検出された場合には、制御部１４は、ＹＣ分離回路１３に、肌色が検出されたラインに関してライン相関処理を行わせ、肌色が検出されなかったラインに関しては、フレーム相関処理により得られたＹ信号、Ｃ信号を出力させる（Ｓ７：部分ＹＣ分離処理）。
【００４６】
以上の動作により、このディスプレイ１０においては、画像全体に動きがあると認識されればライン相関処理（Ｓ３）が行われる。画像全体の動きがないと認識され、かつ動きに着目すべき部分がないと認識されれば３次元ＹＣ分離処理（フレーム相関処理：Ｓ６）が行われ、動きに着目すべき部分があると認識されれば部分ＹＣ部分処理が行われる。これにより、動きのない部分についてはフレーム相関処理が用いられることにより良好なカラー画像が得られる。一方、動きに着目すべき箇所が含まれる領域においては、ライン相関処理が用いられることにより、残像感が少なく、その動きを適切に表示する画像が得られる。
【００４７】
なお、上記の例における動きベクトルの絶対値に対する閾値（Ｓ２）については、適宜設定が可能である。例えば、動きベクトルの絶対値が大きい場合に、フレーム相関処理を用いても残像感が少ない画像が得られる場合には、フレーム相関処理を行わせることが好ましい。例えば、フレーム間の画素の斜め相関が強いときにはフレーム相関処理を用いても残像感が少なくなる。この場合、斜め相関が強いときには閾値を大きくし、斜め相関が小さいときには、閾値を小さくすることによってＹＣ分離処理の選択がより適切に行われる。すなわち、この閾値を他のパラメータの値によって適宜設定することも可能である。また、Ｓ２の判定を、動きベクトルの絶対値ではなく、例えば画像における水平方向又は垂直方向等、ある一方向の成分の大きさで行うことも可能である。
【００４８】
同様に、上記の液晶ディスプレイ１０においてＩＰ変換処理を行なう際のＩＰ変換回路１６、制御部１４、動き検出回路２５、色検出回路２６の動作を示すフローチャートが図３である。動きベクトル算出（Ｓ１１）、閾値との比較（Ｓ１２）、色検出（Ｓ１４）、肌色検出（Ｓ１５）についてはそれぞれ前記のＳ１、Ｓ２、Ｓ４、Ｓ５と同様である。
【００４９】
動きベクトルの絶対値が予め設定された閾値以上であった場合（Ｓ１２）には、動画であると認識し、このフレームに関してＩＰ変換回路１６にライン間演算処理を行わせる（Ｓ１３）。また、動きベクトルの絶対値が閾値よりも小さかった場合、肌色が検出されなかった場合（Ｓ１５）には、現在の画像は静止画である、すなわち、特に動きに着目すべき部分はないと認識し、制御部１４はＩＰ変換回路１６にフレーム間演算処理を行わせる（Ｓ１６）。
【００５０】
肌色が検出された場合（Ｓ１５）には、制御部１４は、ＩＰ変換回路１６に、肌色が検出されたラインに関してライン間演算処理を行わせた結果を出力させ、肌色が検出されなかったラインに関しては、フレーム間演算処理を行わせた結果を出力させる（Ｓ１７：部分ＩＰ変換処理）。
【００５１】
以上の動作により、このディスプレイ１０においては、画像全体に動きがあると認識されればライン間演算処理（Ｓ１３）が行われる。画像全体の動きがないと認識され、かつ動きに着目すべき部分がないと認識されればフレーム間演算処理（Ｓ１６）が行われ、動きに着目すべき部分があると認識されれば部分ＩＰ変換処理が行われる。これにより、動きのない部分についてはフレーム間演算処理が用いられることにより良好なカラー画像が得られる。一方、動きに着目すべき箇所が含まれる領域においては、ライン間演算処理が用いられることにより、残像感が少なく、その動きを適切に表示する画像が得られる。
【００５２】
この場合に用いられる動きベクトルの絶対値の閾値（Ｓ１２）は適宜設定できること、及びこの判定は動きベクトルの絶対値ではなく、一方向の成分について行ってもよいことは、ＹＣ分離処理の場合と同様である。
【００５３】
同様に、上記の液晶ディスプレイ１０においてＮＲ処理を行なう際のＮＲ回路１８、制御部１４、動き検出回路２５、色検出回路２６の動作を示すフローチャートが図４である。動きベクトル算出（Ｓ２１）、閾値との比較（Ｓ２２）、色検出（Ｓ２４）、肌色検出（Ｓ２５）についてはそれぞれ前記のＳ１、Ｓ２、Ｓ４、Ｓ５と同様である。
【００５４】
動きベクトルの絶対値が予め設定された閾値以上であった場合（Ｓ２２）には、動画であると認識し、このフレームに関してＮＲ回路１８にライン間演算処理を行わせる（Ｓ２３）。また、色検出（Ｓ２４）において肌色が検出されなかった場合（Ｓ２５）には、現在の画像は静止画である、すなわち、特に動きに着目すべき部分はないと認識し、制御部１４はＮＲ換回路１８にフレーム間演算処理を行わせる（Ｓ２６）。
【００５５】
色検出（Ｓ２４）で肌色が検出された場合（Ｓ２５）には、制御部１４は、ＮＲ回路１８に、肌色が検出されたラインに関してライン間演算処理を行わせた結果を出力させ、肌色が検出されなかったラインに関しては、フレーム間の演算処理を行わせた結果を出力させる（Ｓ２７：部分ＮＲ処理）。
【００５６】
以上の動作により、このディスプレイ１０においては、画像全体に動きがあると認識されればライン間演算処理（Ｓ２３）が行われる。画像全体の動きがないと認識され、かつ動きに着目すべき部分がないと認識されればフレーム間演算処理（Ｓ２６）が行われ、動きに着目すべき部分があると認識されれば部分ＮＲ処理が行われる。これにより、動きのない部分についてはフレーム間演算処理が用いられることにより良好なカラー画像が得られる。一方、動きに着目すべき箇所が含まれる領域においては、ライン間演算処理が用いられることにより、残像感が少なく、その動きを適切に表示する画像が得られる。
【００５７】
この場合に用いられる動きベクトルの絶対値の閾値（Ｓ２２）は適宜設定できること、及びこの判定は動きベクトルの絶対値ではなく、一方向の成分について行ってもよいことは、ＹＣ分離処理、ＩＰ変換処理の場合と同様である。
【００５８】
従って、以上の動作を組み合わせることにより、動きを着目すべき領域が一部に含まれるカラー画像においてＹＣ分離処理、ＩＰ変換処理、ＮＲ処理が適切に行われる。
【００５９】
なお、上記の例では、ＹＣ分離処理、ＩＰ変換処理、ＮＲ処理のいずれにおいても動きベクトルに関する閾値を設定していたが、この値はＹＣ分離処理、ＩＰ変換処理、ＮＲ処理の全てについて同一とする必要はない。動画を表示する際の残像感の大きな原因となる処理についてはこの閾値を小さく設定し、残像感の発生に大きく影響を与えない処理についてはこの閾値を大きく設定することができる。これにより、更に残像感の少ない良好なカラー画像を得ることができる。
【００６０】
また、図２、３、４のフローチャートにおいては、現フレームと、これより１フレーム前の前フレームとの間の差分に基づいて処理を行っていたが、これに限られるものではなく、前フレームを２フレーム以上前のフレームとすることもできる。このフレームの差分も適宜設定でき、例えば、スポーツ中継におけるボールの動きのように、動きに着目すべき対象の動作のスピード等が予めわかっている場合には、対象に応じて最適な値を設定することができる。また、このフレームの差分についても、前記の閾値と同様に、ＹＣ分離処理、ＩＰ変換処理、ＮＲ処理のそれぞれについて独立に設定することができる。この前フレームのデータはそれぞれフレームメモリ１５、１７、１９に記憶される。
【００６１】
また、例えば、定点カメラから撮像した映像を表示する場合には、背景全体の動きが無いことが予めわかっているため、動き検出工程等を省略してもよい。すなわち、図１における動き検出回路２５、図２におけるステップＳ１〜Ｓ３、図３におけるステップＳ１１〜Ｓ１３、図４におけるステップＳ２１〜Ｓ２３を省略することができる。
【００６２】
なお、上記の実施の形態として、ＳＤ信号を扱う場合につき説明したが、ＨＤ（Ｈｉｇｈ  Ｄｅｆｉｎｉｔｉｏｎ）信号を扱う場合であっても、ＩＰ変換処理、ＮＲ処理については同様に行うことができる。従って、ＨＤ信号を扱う場合においても本発明が適用できる。
【００６３】
また、上記の実施の形態では液晶ディスプレイにつき説明したが、これに限られるものではなく、カラーの動画像を表示する画像表示装置であれば、本発明が適用できることは明らかである。
【図面の簡単な説明】
【００６４】
【図１】本発明の実施の形態となる液晶ディスプレイの構成を示す図である。
【図２】本発明の実施の形態となる液晶ディスプレイにおけるＹＣ分離処理の動作を示すフローチャートである。
【図３】本発明の実施の形態となる液晶ディスプレイにおけるＩＰ変換処理の動作を示すフローチャートである。
【図４】本発明の実施の形態となる液晶ディスプレイにおけるＮＲ処理の動作を示すフローチャートである。
【符号の説明】
【００６５】
１０  液晶ディスプレイ
１１  液晶パネル
１２  ＡＤ変換回路
１３  ＹＣ分離回路（ＹＣ分離手段）
１４  制御部（制御手段）
１５、１７、１９  フレームメモリ
１６  ＩＰ変換回路（ＩＰ変換手段）
１８  ＮＲ回路（ＮＲ処理手段）
２０  画質補正回路
２１  スケーリング回路
２２  ＬＣＤコントローラ回路
２３  バックライトユニット
２４  バックライト制御部
２５  動き検出回路（動き検出手段）
２６  色検出回路（色検出手段）
【図１】
2009105815.tif 000003
【図２】
2009105815.tif 000004
【図３】
2009105815.tif 000005
【図４】
2009105815.tif 000006